(57)【要約】【課題】プローブと装置本体とを接続する配線数を低減する。【解決手段】接触子２０、判定結果表示部２１および表示制御部２２を有する測定用プローブ３と、測定対象の物理量を測定する測定部１１、および制御信号Ｓｃを送出して表示制御部２２を制御する主制御部１５を有する装置本体２と、接触子２０および測定部１１を相互に接続すると共に表示制御部２２に電力を供給し、かつ表示制御部２２に制御信号Ｓｃを送出するための接続用ケーブル３１とを備え、接続用ケーブル３１は、制御信号Ｓｃを表示制御部２２に送出するための制御信号用ラインＬｂを備え、測定用プローブ３は、表示制御部２２と制御信号用ラインＬｂとを接続する信号入力用配線Ｌ１上の電圧を直流電圧に整流平滑すると共に信号入力用配線Ｌ１を介しての信号線接続部２２ｓへの直流電圧の流出を規制しつつ表示制御部２２に直流電圧を出力する整流平滑回路２３とを備えている。【選択図】図１
2014074673.tif 000002
【特許請求の範囲】
【請求項１】
測定対象に接触させられる接触子、予め規定された第１処理を実行する処理部、および当該処理部を制御する第１制御部を有するプローブと、
前記接触子を介して入出力される電気信号に基づいて前記測定対象の物理量を測定する測定部、および制御信号を送出して前記第１制御部を制御する第２制御部を有する装置本体と、
前記接触子および前記測定部を相互に接続すると共に前記第１制御部に前記装置本体から電力を供給し、かつ当該第１制御部に前記第２制御部から前記制御信号を送出するための接続用ケーブルとを備えた測定装置であって、
前記接続用ケーブルは、前記制御信号を前記第１制御部に送出するための信号送出用配線を少なくとも備えて構成され、
前記プローブは、前記第１制御部の信号入力部と前記信号送出用配線とを接続する信号入力用配線と、前記信号入力用配線上の電圧を直流電圧に整流平滑すると共に当該信号入力用配線を介しての前記信号入力部への当該直流電圧の流出を規制しつつ前記第１制御部に当該直流電圧を出力する整流平滑回路とを備えている測定装置。
【請求項２】
前記接続用ケーブルは、前記プローブの基準電位と前記装置本体の基準電位とを接続する基準電位接続配線を備えて構成され、
前記プローブは、前記信号送出用配線から前記基準電位接続配線に向けての電流の通過を許容または遮断するスイッチ回路を備え、
前記装置本体は、前記基準電位接続配線を導通する電流を検出して前記第２制御部に検出信号を出力する検出部を備え、
前記第２制御部は、前記基準電位接続配線を導通する前記電流が予め規定された電流値を超えたと前記検出信号に基づいて判別したときに前記スイッチ回路のスイッチ操作に関連付けられた第２処理を実行する請求項１記載の測定装置。
【請求項３】
前記整流平滑回路は、整流回路としてのダイオード、および平滑回路としてのコンデンサを備えて構成されている請求項１または２記載の測定装置。
【発明の詳細な説明】
【技術分野】
【０００１】
本発明は、接続用ケーブルによって装置本体にプローブが接続されている測定装置に関するものである。
【背景技術】
【０００２】
この種の測定装置として、実開平５−９２７５１号公報に副表示機能付き測定機（以下、単に「測定機」ともいう）が開示されている。この測定機は、測定機本体、および測定機本体にコードによって接続されたプローブを備えて構成されている。また、プローブは、副表示部と、測定機本体からの副表示信号に従って副表示部の表示を制御する表示制御部と備えている。さらに、測定機本体は、プローブおよびコードを介して入力される測定信号の信号波形を生成する信号処理部と、信号処理部から出力される信号波形を表示する主表示部と、信号波形の直流レベル、または、信号波形のピークレベルを検出するレベル検出部と、レベル検出部において検出されたレベルの値を副表示信号に変換する副表示信号生成部とを備えている。
【０００３】
この測定機の使用に際しては、被測定部（例えば回路部品のリード）にプローブの先端部（接触子）を接触させることにより、被測定部から信号処理部にプローブおよびコードを介して電気的信号（測定信号）を入力させる。この際には、信号処理部が測定信号の信号波形を生成して主表示部に表示させる。また、レベル検出部が信号波形の直流レベル等を検出し、副表示信号生成部がレベル検出部によって検出されたレベルの値を副表示信号に変換してプローブの表示制御部に出力する。さらに、表示制御部が副表示信号に応じて副表示部を制御することにより、レベル検出部によって検出されたレベルを示す数値等を表示させる。これにより、従来の測定機では、測定機本体の主表示部に表示されている波形を見なくても、副表示部に表示された数値等を見て信号レベルを認識することが可能となっている。
【先行技術文献】
【特許文献】
【０００４】
【特許文献１】実開平−９２７５１号公報（第４−７頁、第１−２図）
【発明の概要】
【発明が解決しようとする課題】
【０００５】
ところが、従来の測定機には、以下の解決すべき問題点がある。すなわち、従来の測定機では、プローブに副表示部および表示制御部を配設すると共に、測定機本体から表示制御部にコードを介して副表示信号を送信することにより、レベル検出部によって検出された直流レベル等の値を副表示部に表示させる構成が採用されている。
【０００６】
この場合、図４に示すように、従来の測定機１ｘ（以下、従来の測定機に関する構成要素については、符号の末尾に「ｘ」を付して説明する）では、副表示信号生成部から表示制御部２２ｘの信号線接続部２２ｓｘに副表示信号を送信するための制御信号用ラインＬｂｘ、副表示部２１ｘのグランド接続部２１ｇｘや表示制御部２２ｘのグランド接続部２２ｇｘを測定機本体のグランド電位に接続するためのグランドラインＬｃｘ、接触子２０ｘを測定機本体に接続するための測定信号用ラインＬａｘ、および測定機本体に配設されている電源部から副表示部２１ｘの電源接続部２１ｖｘや表示制御部２２の電源接続部２２ｖｘに電源を供給するための電源ラインＬｅｘの計４本のライン（以下、これらを区別しないときには「ラインＬｘ」ともいう）を備えてコード３１ｘが構成されている。したがって、従来の測定機１ｘでは、ラインＬｘの本数が多いことでコード３１ｘが太くなっており、この太いコード３１ｘがプローブ２ｘの自由な移動の妨げとなって、その操作性が悪化しているという問題点がある。
【０００７】
また、この種の測定機（測定装置）では、一般的に、コード３１ｘにおけるプローブ２ｘ側の端部がプローブ２ｘに対して固定的に接続されると共に、コード３１ｘにおける測定機本体側の端部が接続用のコネクタを介して測定機本体に接続される構成が採用されている。この場合、コネクタを介して測定機本体にコード３１ｘを接続する構成を採用する場合には、コード３１ｘを構成するラインＬｘの本数に応じた数の接続端子が設けられたコネクタを使用する必要がある。したがって、コード３１ｘを構成するラインＬｘの数が多数の従来の測定機１ｘでは、コネクタ内の接続端子の数が多数となることに起因して、測定機本体（装置本体）に対するコード（接続用ケーブル）３１ｘの着脱に大きな力が必要となったりコネクタの小型化が困難であるという問題点が存在する。
【０００８】
一方、この種の測定機（測定装置）のなかには、図４に破線で示すように、プローブ２ｘから測定機本体をリモート操作するためのリモートスイッチ２６ｘがプローブ２ｘに配設されているものが存在する。このリモートスイッチ２６ｘを有するプローブ２ｘでは、上記の測定信号用ラインＬａｘ、制御信号用ラインＬｂｘ、グランドラインＬｃｘおよび電源ラインＬｅｘとは別個に、リモートスイッチ２６ｘが操作されたか否かを判別するための電気的信号を測定機本体に入出力させるための操作信号用ラインＬｆｘ，Ｌｇｘを備えてコード３１ｘが構成されている。したがって、プローブ２ｘにリモートスイッチ２６ｘを設けた場合には、コード３１ｘを構成するラインＬｘの数がさらに多数となるため、コード３１ｘが一層太くなると共に、接続端子の数もさらに多いコネクタを使用する必要がある。このため、プローブ２ｘの操作性が一層悪化し、かつ、コネクタの着脱が一層困難となるという問題点がある。
【０００９】
本発明は、かかる解決すべき問題点に鑑みてなされたものであり、プローブと装置本体とを接続する配線数を低減してプローブの操作性を向上させ得る測定装置を提供することを主目的とする。
【課題を解決するための手段】
【００１０】
上記目的を達成すべく請求項１記載の測定装置は、測定対象に接触させられる接触子、予め規定された第１処理を実行する処理部、および当該処理部を制御する第１制御部を有するプローブと、前記接触子を介して入出力される電気信号に基づいて前記測定対象の物理量を測定する測定部、および制御信号を送出して前記第１制御部を制御する第２制御部を有する装置本体と、前記接触子および前記測定部を相互に接続すると共に前記第１制御部に前記装置本体から電力を供給し、かつ当該第１制御部に前記第２制御部から前記制御信号を送出するための接続用ケーブルとを備えた測定装置であって、前記接続用ケーブルは、前記制御信号を前記第１制御部に送出するための信号送出用配線を少なくとも備えて構成され、前記プローブは、前記第１制御部の信号入力部と前記信号送出用配線とを接続する信号入力用配線と、前記信号入力用配線上の電圧を直流電圧に整流平滑すると共に当該信号入力用配線を介しての前記信号入力部への当該直流電圧の流出を規制しつつ前記第１制御部に当該直流電圧を出力する整流平滑回路とを備えている。
【００１１】
また、請求項２記載の測定装置は、請求項１記載の測定装置において、前記接続用ケーブルは、前記プローブの基準電位と前記装置本体の基準電位とを接続する基準電位接続配線を備えて構成され、前記プローブは、前記信号送出用配線から前記基準電位接続配線に向けての電流の通過を許容または遮断するスイッチ回路を備え、前記装置本体は、前記基準電位接続配線を導通する電流を検出して前記第２制御部に検出信号を出力する検出部を備え、前記第２制御部は、前記基準電位接続配線を導通する前記電流が予め規定された電流値を超えたと前記検出信号に基づいて判別したときに前記スイッチ回路のスイッチ操作に関連付けられた第２処理を実行する。
【００１２】
また、請求項３記載の測定装置は、請求項１または２記載の測定装置において、前記整流平滑回路は、整流回路としてのダイオード、および平滑回路としてのコンデンサを備えて構成されている。
【発明の効果】
【００１３】
請求項１記載の測定装置では、整流平滑回路が信号入力用配線上の電圧を直流電圧に整流平滑すると共に信号入力用配線を介しての信号入力部への直流電圧の流出を規制しつつ第１制御部に直流電圧を出力することにより、装置本体からプローブに制御信号を送信するための信号送信用配線、および装置本体からプローブに電力を供給するための電力供給用配線を別個に用意することなく、接続用ケーブルの信号送出用配線を信号送信用配線および電力供給用配線として兼用することができるため、接続用ケーブルに配設する配線数を少なくすることができる結果、プローブの操作性を向上させることができる。また、接続用ケーブルに配設する配線数が少ない分だけ、装置本体のコネクタに設ける接続端子の数も少なくすることができるため、小さな力でコネクタを容易に着脱することができると共にコネクタの小型化を図ることができる。
【００１４】
また、請求項２記載の測定装置によれば、プローブのスイッチ回路が操作されたときに、装置本体の検出部が基準電位接続配線を導通する電流を検出して第２制御部に検出信号を出力し、第２制御部が、基準電位接続配線を導通する電流が予め規定された電流値を超えたと検出信号に基づいて判別したときに第２処理を実行することにより、従来の測定機１ｘとは異なり、スイッチ回路の操作状態を第２制御部に報知するための専用配線を接続用ケーブルに設けることなく、信号送出用配線および基準電位接続配線をスイッチ回路の操作状態を検出するための配線として兼用することができるため、接続用ケーブルに配設する配線数やコネクタに設ける接続端子の数を増加させることなく、スイッチ回路の操作状態を第２制御部に報知することができる。したがって、この測定装置によれば、プローブの操作性を悪化させずに、しかも、コネクタの着脱を困難とさせることなく、プローブから装置本体をリモート操作することができる。
【００１５】
また、請求項３記載の測定装置によれば、ダイオードおよびコンデンサで整流平滑回路を構成したことにより、簡易な構成でありながら、信号入力用配線上の電圧を直流電圧に整流平滑することができると共に信号入力用配線を介しての信号入力部への直流電圧の流出を規制しつつ第１制御部（プローブ）に直流電圧を出力することができる。
【図面の簡単な説明】
【００１６】
【図１】絶縁抵抗測定装置１の構成を示す構成図である。
【図２】絶縁抵抗測定装置１の各部の電位について説明するための説明図である。
【図３】測定用プローブ３Ａの構成を示す構成図である。
【図４】従来の測定機１ｘにおけるプローブ２ｘおよび接続用ケーブル３１ｘの構成図である。
【発明を実施するための形態】
【００１７】
以下、本発明に係る測定装置の実施の形態について、添付図面を参照して説明する。
【００１８】
図１に示す絶縁抵抗測定装置１は、「測定装置」の一例であって、装置本体２および測定用プローブ３，４を備えて測定対象の絶縁抵抗（「物理量である電気的パラメータ」の一例）を測定可能に構成されている。また、測定用プローブ３には、測定信号用ラインＬａ、制御信号用ラインＬｂおよびグランドラインＬｃの３本の配線を有する接続用ケーブル３１が接続され、この接続用ケーブル３１の一端側に設けられたコネクタ３２を介して測定用プローブ３が装置本体２のコネクタに接続されている。さらに、測定用プローブ４には、測定信号用ラインＬｄを有する接続用ケーブル４１が接続され、この接続用ケーブル４１の一端側に設けられたコネクタ４２を介して装置本体２のコネクタに測定用プローブ４が接続されている。この場合、測定用プローブ３は、接触子２０を備え、測定用プローブ４は、一例として、測定対象をクリップ可能なクリップ型の接触子３０を備えている。
【００１９】
装置本体２は、「装置本体」の一例であって、測定部１１、電流検出部１２、操作部１３、表示部１４、主制御部１５および記憶部１６を備えて構成されている。測定部１１は、「測定部」の一例であって、主制御部１５の制御に従い、測定用プローブ３，４の接触子２０，３０を介して入出力される電気信号に基づき、測定対象の絶縁抵抗を測定して測定データＤｓを出力する「測定処理」を実行する。電流検出部１２は、「検出部」の一例であって、後述するように、接続用ケーブル３１のグランドラインＬｃを導通する電流を検出して検出信号Ｓｄを主制御部１５に出力する。
【００２０】
操作部１３は、測定モードや測定レンジを切り替える切替えスイッチ、および測定処理の開始／終了を指示する操作スイッチ等（いずれも図示せず）を備え、スイッチ操作に応じた操作信号を主制御部１５に出力する。表示部１４は、一例として、液晶表示器を備えて構成されて、主制御部１５の制御に従って測定部１１による測定結果（測定された絶縁抵抗の値等）を表示する。
【００２１】
主制御部１５は、「第２制御部」の一例であって、絶縁抵抗測定装置１を総括的に制御する。具体的には、主制御部１５は、操作部１３からの操作信号に応じて測定部１１を制御して上記の測定処理を実行させる。また、主制御部１５は、測定部１１から出力される測定データＤｓと、記憶部１６に記憶されている判定用基準データＤ０とに基づき、予め規定された絶縁抵抗値以上の抵抗値が測定されたか否かを判定する。さらに、主制御部１５は、その判定結果に基づいて一例としてアクティブローの制御信号Ｓｃを生成して、生成した制御信号Ｓｃを接続用ケーブル３１を介して測定用プローブ３に送信する。また、主制御部１５は、表示部１４を制御することにより、測定データＤｓに基づいて測定された絶縁抵抗値を表示させる。
【００２２】
さらに、主制御部１５は、電流検出部１２から出力された検出信号Ｓｄに基づいて、グランドラインＬｃを導通する電流の電流値が予め規定された電流値を超えたと判別したときに、後述する「ホールド操作」が行われたと判別して、その時点において表示部１４に表示させている測定値（絶縁抵抗値）を変化させずに、その表示内容を維持する「測定値ホールド処理（「スイッチ操作に関連付けられた第２処理」の一例）」を実行する。記憶部１６は、上記の判定用基準データＤ０、主制御部１５の動作プログラム、および主制御部１５の演算結果などを記憶する。
【００２３】
測定用プローブ３は、「プローブ」の一例であって、接触子２０、判定結果表示部２１、表示制御部２２、整流平滑回路２３およびリモートスイッチ２６を備えて構成されている。接触子２０は、「接触子」の一例であって、ピン状（棒状）に形成されると共に、接続用ケーブル３１の測定信号用ラインＬａを介して装置本体２の測定部１１に接続されている。
【００２４】
判定結果表示部２１は、「処理部」の一例であって、表示制御部２２の制御に従い、装置本体２の主制御部１５による判定結果を表示する「判定結果表示処理（「予め規定された第１処理」の一例）」を実行する。具体的には、本例の絶縁抵抗測定装置１では、一例として、主制御部１５による絶縁状態についての判定結果が「良好」のときに、緑色に点灯させられて判定結果が良好であった旨を報知すると共に、主制御部１５による判定結果が「不良」のときに、赤色に点灯させられて判定結果が不良であった旨を報知する構成が採用されている。この場合、判定結果表示部２１の電源接続部２１ｖは後述する表示制御部２２の電源接続部２２ｖに接続され、グランド接続部２１ｇは測定用プローブ３の基準電位でもある表示制御部２２のグランド接続部２２ｇに接続されている。
【００２５】
表示制御部２２は、「第１制御部」に相当し、主制御部１５からの制御信号Ｓｃに従って判定結果表示部２１の点灯状態を制御する。この場合、本例の測定用プローブ３では、表示制御部２２の信号線接続部（信号入力部）２２ｓが接続用ケーブル３１の制御信号用ラインＬｂに信号入力用配線Ｌ１を介して接続されると共に、電源接続部２２ｖが整流平滑回路２３におけるダイオード２４とコンデンサ２５との接続部位に接続されると共に上記したように判定結果表示部２１の電源接続部２１ｖに接続され、かつグランド接続部２２ｇが基準電位接続配線Ｌ２を介して接続用ケーブル３１のグランドラインＬｃに接続されると共に上記したように判定結果表示部２１のグランド接続部２１ｇに接続されている。この場合、信号入力用配線Ｌ１は制御信号用ラインＬｂと信号線接続部２２ｓとを接続し、基準電位接続配線Ｌ２はグランドラインＬｃとグランド接続部２２ｇとを接続する。
【００２６】
整流平滑回路２３は、整流回路としてのダイオード２４と平滑回路としてのコンデンサ２５とを備えて構成されて、信号入力用配線Ｌ１と基準電位接続配線Ｌ２（グランド接続部２２ｇでもある）との間に接続され、信号入力用配線Ｌ１上の電圧を直流電圧に整流平滑すると共に信号入力用配線Ｌ１を介しての信号線接続部２２ｓへの生成した直流電圧の流出を規制しつつ判定結果表示部２１の電源接続部２１ｖおよび表示制御部２２の電源接続部２２ｖにその直流電圧を出力する。
【００２７】
リモートスイッチ２６は、「スイッチ回路」に相当し、上記した「測定値ホールド処理」を実行させる機能を有し、電流制限用の抵抗２７とスイッチ２８とで構成されている。このリモートスイッチ２６は、上記した信号入力用配線Ｌ１と基準電位接続配線Ｌ２との間に配設されて、スイッチ２８がオン状態のときには、信号入力用配線Ｌ１および抵抗２７を介して制御信号用ラインＬｂから基準電位接続配線Ｌ２を介してグランドラインＬｃに向けての電流の通過を許容し、スイッチ２８がオフ状態のときには、信号入力用配線Ｌ１から基準電位接続配線Ｌ２に向けての電流の通過（つまり制御信号用ラインＬｂからグランドラインＬｃに向けての電流の通過）を遮断する。
【００２８】
なお、本例の絶縁抵抗測定装置１では、表示制御部２２の信号線接続部２２ｓおよび主制御部１５を相互に接続するための制御信号用ラインＬｂが「信号送出用配線」に相当し、判定結果表示部２１のグランド接続部２１ｇおよび表示制御部２２のグランド接続部２２ｇを装置本体２のグランド電位に接続するためのグランドラインＬｃが「基準電位接続配線」に相当する。
【００２９】
この絶縁抵抗測定装置１による絶縁抵抗の測定に際しては、まず、接続用ケーブル３１，４１を装置本体２に接続する。この際に、この絶縁抵抗測定装置１では、制御信号用ラインＬｂが、表示制御部２２に制御信号Ｓｃを送出する配線としての機能と、測定用プローブ３に電力を供給する配線としての機能とを兼用している。したがって、接続用ケーブル３１を構成する配線が、測定信号用ラインＬａ、制御信号用ラインＬｂおよびグランドラインＬｃの３本だけとなるため、この３本を装置本体２に接続するためのコネクタ３ｂに配設された接続端子も３つだけとなっている。また、接続用ケーブル４１を構成する配線が測定信号用ラインＬｄだけのため、この測定信号用ラインＬｄを装置本体２に接続するためのコネクタ４ｂに配設された接続端子も１つだけとなっている。したがって、この絶縁抵抗測定装置１では、装置本体２に対して接続用ケーブル３１（コネクタ３ｂ）や接続用ケーブル４１（コネクタ４ｂ）を小さな力で装着する（接続する）ことが可能となると共にコネクタ３ｂ，コネクタ４ｂが小型化されている。
【００３０】
次いで、装置本体２の操作部１３を操作して電源を投入した後に、所望の測定モードおよび所望の測定レンジを選択する。続いて、測定用プローブ４の接触子３０を測定対象に接触させる（測定対象の任意の部位をクリップする）と共に、測定用プローブ３の接触子２０を測定対象に接触させる。この際には、主制御部１５が測定部１１を制御して測定処理を開始させ、測定部１１が測定信号用ラインＬａ，Ｌｄおよび接触子２０，３０を介して入出力させた電気信号に基づき、測定対象の絶縁抵抗を測定して測定データＤｓを出力する。また、主制御部１５は、測定部１１から出力された測定データＤｓに基づき、表示部１４を制御して測定部１１の測定結果（絶縁抵抗値）を表示させる。
【００３１】
さらに、主制御部１５は、測定部１１から出力された測定データＤｓと、記憶部１６に記憶されている判定用基準データＤ０とに基づき、予め規定された絶縁抵抗値以上の抵抗値が測定されたか否かを判定する。この際に、規定された絶縁抵抗値以上の抵抗値が測定されたと判別したときには、主制御部１５は、測定用プローブ３（表示制御部２２）に制御信号Ｓｃを送信することで判定結果表示部２１を緑色に点灯させる。また、規定された絶縁抵抗値を下回る抵抗値が測定されたと判別したときには、主制御部１５は、測定用プローブ３（表示制御部２２）に制御信号Ｓｃを送信することで判定結果表示部２１を赤色に点灯させる。これにより、測定用プローブ３を手にしている利用者に対して、装置本体２の表示部１４を視認させることなく、測定対象が規定の絶縁抵抗値を有しているか否かを、手元の測定用プローブ３における判定結果表示部２１の点灯色によって認識させることが可能となる。
【００３２】
この場合、この絶縁抵抗測定装置１では、上記の一連の処理に際して、装置本体２の主制御部１５から測定用プローブ３の表示制御部２２に制御信号Ｓｃを送信するための制御信号用ラインＬｂを導通する電流の一部を判定結果表示部２１や表示制御部２２に電力として供給することで、接続用ケーブル３１に電力供給用の専用ラインを設けることなく、装置本体２から表示制御部２２への制御信号Ｓｃの送信、および装置本体２から判定結果表示部２１や表示制御部２２への電力の供給を行う構成が採用されている。
【００３３】
具体的には、この絶縁抵抗測定装置１では、電源が投入され、かつ上記したように主制御部１５から測定用プローブ３に制御信号Ｓｃ（判定結果表示部２１の点灯状態を制御するための信号）が送信されていない状態（例えば、測定部１１による測定処理が実行されていない状態：ノーマル状態）においては、図２に矢印Ａで示すように、制御信号用ラインＬｂの電位が、ノーマリーハイレベル（予め規定された一定の電力供給時電位Ｖｈ）の状態に維持される。この状態では、制御信号用ラインＬｂに接続されている信号線接続部２２ｓの電位が制御信号用ラインＬｂと同電位に維持される結果（デジタル信号におけるハイレベルとして判定される電位で一定に維持されて電位が変化しない状態）、表示制御部２２は、「制御信号なし」と判別して、一例として、判定結果表示部２１を非点灯状態に制御する。
【００３４】
また、この状態では、平滑回路２３のダイオード２４が制御信号用ラインＬｂからの電流の一部の通過を許容してコンデンサ２５を蓄電すると共に、電源接続部２１ｖを介して判定結果表示部２１に電流（電力）を供給し、かつ電源接続部２２ｖを介して表示制御部２２に電流（電力）を供給する。
【００３５】
一方、前述したように、測定データＤｓおよび判定用基準データＤ０に基づく判定結果に応じて、主制御部１５が表示制御部２２に制御信号Ｓｃを送信したときには、図２に矢印Ｂで示すように、制御信号用ラインＬｂの電位は、制御信号Ｓｃの内容に応じて、上記の電力供給時電位Ｖｈおよび０Ｖの間で変化（上下）する。したがって、信号線接続部２２ｓの電位も制御信号用ラインＬｂの電位の変化に応じて電力供給時電位Ｖｈおよび０Ｖの間で変化する結果（デジタル信号におけるハイレベルとして判定される電位とローレベルとして判定される電位との間で変化する状態）、表示制御部２２は、「制御信号あり」と判別して、その制御信号Ｓｃの内容に応じて判定結果表示部２１を緑色または赤色に点灯させる。
【００３６】
また、制御信号Ｓｃの送信によって制御信号用ラインＬｂの電位が変化している状態においては、整流平滑回路２３のダイオード２４が制御信号Ｓｃを整流すると共にコンデンサ２５がダイオード２４によって整流された電圧を平滑する。その結果、コンデンサ２５の電位（つまり電源接続部２１ｖ，２２ｖの電位）は、図２に示すように、電力供給時電位Ｖｈ（ハイレベル電位）よりも若干低下するものの、判定結果表示部２１や表示制御部２２を動作させるのに必要な電位まで蓄電される。したがって、制御信号Ｓｃが出力されている状態（制御信号用ラインＬｂの電位が０Ｖの状態）では、判定結果表示部２１および表示制御部２２はコンデンサ２５から供給される電流（電力）によって正常に作動する。
【００３７】
この場合、この絶縁抵抗測定装置１では、整流平滑回路２３のダイオード２４がコンデンサ２５から信号入力用配線Ｌ１を介しての表示制御部２２の信号線接続部２２ｓへの直流電圧の流出を規制する。したがって、この測定用プローブ３では、制御信号用ラインＬｂの電位が０Ｖとなっている状態において、コンデンサ２５に蓄電されている直流電圧が信号入力用配線Ｌ１を介して表示制御部２２の信号線接続部２２ｓに流入して表示制御部２２が「制御信号なし」と誤判別する事態が回避される。
【００３８】
一方、この絶縁抵抗測定装置１では、前述したように装置本体２の表示部１４に測定結果（絶縁抵抗値）を表示させている状態において測定用プローブ３のリモートスイッチ２６を押圧操作することにより、表示部１４に表示されている測定結果を変化させずに維持する（測定値のホールド）ことができる。
【００３９】
具体的には、リモートスイッチ２６が操作されていない状態においては、制御信号Ｓｃとして信号線接続部２２ｓに流入した電流、表示制御部２２の負荷状態に応じて電源接続部２２ｖに流入した電流、および判定結果表示部２１の負荷状態に応じて電源接続部２１ｖに流入した電流がグランドラインＬｃを介して装置本体２に流入する。一方、リモートスイッチ２６を操作したときには、上記の各電流に加えて、抵抗２７の抵抗値に応じた電流値の電流が、制御信号用ラインＬｂ、抵抗２７、スイッチ２８およびグランドラインＬｃを介して装置本体２に流入する結果、リモートスイッチ２６が操作されていないときよりもグランドラインＬｃを導通する電流量が増加する。
【００４０】
したがって、電流検出部１２は、リモートスイッチ２６の操作に伴ってグランドラインＬｃを流れる電流を検出して検出信号Ｓｄを主制御部１５に出力する。これに応じて、主制御部１５は、検出信号Ｓｄに基づいて、グランドラインＬｃを導通する電流の電流値が予め規定された電流値を超えたと判別したときに、「ホールド操作」が行われたと判別して、表示部１４を制御することにより、その時点において表示させている測定結果を変化させずに維持させる（測定値のホールド）。これにより、例えば、測定用プローブ３の接触子２０を測定対象から離間させたとしても、表示部１４に測定結果（絶縁抵抗値）が表示された状態が維持されるため、接触子２０を測定対象に接触させたままの状態で表示部１４を視認するのと比較して測定結果を安全に視認することが可能となる。
【００４１】
このように、この絶縁抵抗測定装置１によれば、整流平滑回路２３が信号入力用配線Ｌ１上の電圧を直流電圧に整流平滑すると共に信号入力用配線Ｌ１を介しての信号線接続部２２ｓへの直流電圧の流出を規制しつつ判定結果表示部２１および表示制御部２２に直流電圧を出力することにより、装置本体２（主制御部１５）から測定用プローブ３（表示制御部２２）に制御信号Ｓｃを送信するための信号送信用ライン、および装置本体２から測定用プローブ３（判定結果表示部２１および表示制御部２２）に電力を供給するための電力供給用ラインを別個に用意することなく、接続用ケーブル３１の制御信号用ラインＬｂを信号送信用ラインおよび電力供給用ラインとして兼用することができるため、接続用ケーブル３１に配設するラインの数を少なくすることができる結果、測定用プローブ３の操作性を向上させることができる。また、接続用ケーブル３１に配設するラインの数が少ない分だけ、コネクタ３ｂに設ける接続端子の数も少なくすることができるため、小さな力でコネクタ３ｂを容易に着脱することができると共にコネクタ３ｂの小型化を図ることができる。
【００４２】
また、この絶縁抵抗測定装置１によれば、測定用プローブ３のリモートスイッチ２６が操作されたときに、装置本体２の電流検出部１２がグランドラインＬｃを導通する電流を検出して主制御部１５に検出信号Ｓｄを出力し、主制御部１５が、グランドラインＬｃを導通する電流が予め規定された電流値を超えたと検出信号Ｓｄに基づいて判別したときに「測定値ホールド処理」を実行することにより、従来の測定機１ｘとは異なり、リモートスイッチ２６の操作状態を主制御部１５に報知するための専用ラインを接続用ケーブル３１に設けることなく、制御信号用ラインＬｂおよびグランドラインＬｃをリモートスイッチ２６の操作状態を検出するための信号ラインとして兼用することができるため、接続用ケーブル３１に配設するラインの数やコネクタ３ｂに設ける接続端子の数を増加させることなく、リモートスイッチ２６の操作状態を主制御部１５に報知することができる。したがって、この絶縁抵抗測定装置１によれば、測定用プローブ３の操作性を悪化させずに、しかも、コネクタ３ｂの着脱を困難とさせることなく、測定用プローブ３から装置本体２をリモート操作することができる。
【００４３】
また、この絶縁抵抗測定装置１によれば、ダイオード２４およびコンデンサ２５で整流平滑回路２３を構成したことにより、簡易な構成でありながら、信号入力用配線Ｌ１上の電圧を直流電圧に整流平滑することができると共に信号入力用配線Ｌ１を介しての信号線接続部２２ｓへの直流電圧の流出を規制しつつ判定結果表示部２１および表示制御部２２に直流電圧を出力することができる。
【００４４】
なお、「測定装置」の構成については、上記の絶縁抵抗測定装置１の構成の例に限定されない。例えば、図３に示すように、「整流平滑回路」として、信号入力用配線Ｌ１とグランド接続部２１ｇとの間に、ダイオード２４Ａおよびコンデンサ２５Ａで構成される整流平滑回路２３Ａを設けて測定用プローブ３Ａを構成することもできるし、整流平滑回路２３の配設を省略して、整流平滑回路２３Ａのみを設けて、整流平滑回路２３Ａから電源接続部２２ｖに直流電圧を供給する構成を採用することもできる。これらの構成においても、測定用プローブ３と同様にして、簡易な構成でありながら、信号入力用配線Ｌ１上の電圧を直流電圧に整流平滑することができると共に信号入力用配線Ｌ１を介しての信号線接続部２２ｓへの直流電圧の流出を規制しつつ判定結果表示部２１および表示制御部２２に直流電圧を出力することができる。なお、測定用プローブ３Ａにおいて、測定用プローブ３と同じ機能を有する構成要素には同一の符号を付して重複する説明を省略する。
【００４５】
また、「物理量」の一例として「絶縁抵抗値」を測定する構成の絶縁抵抗測定装置１を「測定装置」の一例として説明したが、「絶縁抵抗値」以外の各種物理量（例えば、絶縁抵抗値以外の抵抗値、電流値、電圧値、電力値および位相等の各種電気的パラメータや、温度、湿度、輝度（光度）および照度等の各種の物理量）を測定する「測定装置」（図示せず）においても、上記の絶縁抵抗測定装置１と同様の構成を採用することで、絶縁抵抗測定装置１と同様の効果を奏することができる。
【００４６】
また、「処理部」の一例として判定結果表示部２１を備え、かつ「第１制御部」の一例として表示制御部２２を備えると共に、「第１処理」の一例として判定結果に応じて装置本体２の点灯状態を異ならせる処理を実行する構成を例に挙げて説明したが、「第１処理」の内容、および「第１処理」を実行するための「処理部」や、それを制御する「第１制御部」の構成は、上記の例に限定されない。例えば、上記の絶縁抵抗測定装置１における判定結果表示部２１の点灯状態の変更に代えて（または、加えて）、判定結果に応じて予め規定された音を出力する処理（「第１処理」の他の一例）を実行する構成を採用することができる。このような構成では、「処理部」としてスピーカを配設し、かつ「第１制御部」として「放音制御部」を配設すればよい。
【００４７】
さらに、「第２処理」の一例として「測定値ホールド処理」を実行する構成を例に挙げて説明したが、リモートスイッチ２６の操作に応じて測定部１１による測定処理を開始／停止させる処理（「測定開始／停止処理」：「第２処理」の他の一例）や、リモートスイッチ２６の操作に応じて測定データＤｓを記憶部１６に記憶させる処理（「測定値記憶処理」：「第２処理」のさらに他の一例）などを実行可能に構成することもできる。
【００４８】
また、主制御部１５から制御信号Ｓｃが送信されていないとき（表示制御部２２が「制御信号なし」と判別したとき）に判定結果表示部２１が非点灯状態に制御する構成に代えて、例えば、主制御部１５から制御信号Ｓｃが送信されていないときに判定結果表示部２１を緑色および赤色以外の色（例えば黄色や青色）に点灯制御する構成（制御信号Ｓｃが送信されていないときにも判定結果表示部２１を点灯させる構成）を採用することができる。
【符号の説明】
【００４９】
１  絶縁抵抗測定装置
２  装置本体
３，４  測定用プローブ
１１  測定部
１２  電流検出部
１３  操作部
１４  表示部
１５  主制御部
２０，３０  接触子
２１  判定結果表示部
２２  表示制御部
２３  整流平滑回路
２４  ダイオード
２５  コンデンサ
２６  リモートスイッチ
３１，４１  接続用ケーブル
３２，４２  コネクタ
Ｌ１  信号入力用配線
Ｌ２  基準電位接続配線
Ｌａ，Ｌｄ  測定信号用ライン
Ｌｂ  制御信号用ライン
Ｌｃ  グランドライン
Ｓｃ  制御信号
Ｓｄ  検出信号
【図１】
2014074673.tif 000003
【図２】
2014074673.tif 000004
【図３】
2014074673.tif 000005
【図４】
2014074673.tif 000006